(57)【要約】      （修正有）【課題】省スペース化を可能にする改良型調理器具を提供することである。【解決手段】かき混ぜたり掬ったりするための複数の本体部分（１２）と、調理者が把持するための柄部分（１４）とを備え、本体部分及び柄部分には、互いに結合するための継手部（１２ａ，１４ａ）がそれぞれ設けられており、継手部がスナップ嵌め継手構造体を形成しており、使用時に、所望の本体部分に柄部分を結合し、或いは分離して所望の別の本体部分に柄部分を結合し、収納時に、本体部分と柄部分とを分離することができるように構成されていることを特徴とする改良型調理器具（１０）が提供される。【選択図】図１
0003115430.tif 000002
【実用新案登録請求の範囲】
【請求項１】
改良型調理器具であって、
かき混ぜたり掬ったりするための複数の本体部分と、
調理者が把持するための柄部分とを備え、
前記本体部分及び前記柄部分には、互いに結合するための継手部がそれぞれ設けられており、前記継手部がスナップ嵌め継手構造体を形成しており、
使用時に、所望の本体部分に柄部分を結合し、或いは分離して所望の別の本体部分に柄部分を結合し、収納時に、本体部分と柄部分とを分離することができるように構成されていることを特徴とする器具。
【請求項２】
改良型コップ洗い器具であって、
コップを洗うためのブラシが設けられた本体部分と、
使用者が把持するための柄部分とを備え、
前記本体部分及び前記柄部分には、互いに結合するための継手部がそれぞれ設けられており、前記継手部がスナップ嵌め継手構造体を形成しており、
使用時に、本体部分に柄部分を結合し、収納時に、本体部分と柄部分とを分離することができるように構成されていることを特徴とする器具。
【請求項３】
請求項１又は請求項２に記載された改良型調理器具又は改良型コップ洗い器具を収納するための収納庫であって、
表面に凹凸が設けられた磁石材料で作られた壁面を有し、前記壁面に、各本体部分が納まるような凹部が設けられていることを特徴とする収納庫。
【考案の詳細な説明】
【技術分野】
【０００１】
本考案は、改良型調理器具又は改良型コップ洗い器具および該器具を収納するための収納庫に関する。本考案の調理器具には、おたま、中華べら、ストレーナー、そば・うどん用水切りなどの種々の調理器具が含まれる。また、コップ洗い器具には、フラスコを洗うための器具も含まれる。
【背景技術】
【０００２】
おたまや中華べら等の調理器具は一般に、かき混ぜたり掬ったりするための本体部分と、調理者が把持するための柄部分とから構成されている。
【考案の開示】
【考案が解決しようとする課題】
【０００３】
調理器具は、その目的に応じて多種多様のものがあり、それらの全てを所有しようとすると、かなりのスペースが必要になるという課題がある。本考案は、このような状況に鑑みて案出されたものであって、省スペース化を実現する改良型調理器具又は改良型コップ洗い器具、および、このような器具を収納するための収納庫を提供することを目的としている。
【課題を解決するための手段】
【０００４】
本願請求項１に記載の改良型調理器具は、かき混ぜたり掬ったりするための複数の本体部分と、調理者が把持するための柄部分とを備え、前記本体部分及び前記柄部分には、互いに結合するための継手部がそれぞれ設けられており、前記継手部がスナップ嵌め継手構造体を形成しており、使用時に、所望の本体部分に柄部分を結合し、或いは分離して所望の別の本体部分に柄部分を結合し、収納時に、本体部分と柄部分とを分離することができるように構成されていることを特徴とするものである。
【０００５】
本願請求項２に記載の改良型コップ洗い器具は、コップを洗うためのブラシが設けられた本体部分と、使用者が把持するための柄部分とを備え、前記本体部分及び前記柄部分には、互いに結合するための継手部がそれぞれ設けられており、前記継手部がスナップ嵌め継手構造体を形成しており、使用時に、本体部分に柄部分を結合し、収納時に、本体部分と柄部分とを分離することができるように構成されていることを特徴とするものである。
【０００６】
本願請求項３に記載の前記請求項１又は請求項２の改良型調理器具又は改良型コップ洗い器具を収納するための収納庫は、表面に凹凸が設けられた磁石材料で作られた壁面を有し、前記壁面に、各本体部分が納まるような凹部が設けられていることを特徴とするものである。
【考案の効果】
【０００７】
本考案によれば、必要に応じて、所望の本体部分を交換することができるので、省スペース化を図ることができる。また、本考案の収納庫では、収納庫の壁面を、凹凸が設けられた磁石材料で形成したので、本体部分／柄部分が壁面にぴったりくっつくことがなく、本体部分／柄部分を収納庫から取り出し易い。
【考案を実施するための最良の形態】
【０００８】
次に添付図面を参照して、本考案の好ましい実施の形態に係る改良型調理器具について詳細に説明する。図１は、本考案の好ましい実施の形態に係る改良型調理器具の分離状態を示した図、図２は、本考案の好ましい実施の形態に係る改良型調理器具の結合状態を示した図である。図１及び図２において全体として参照符号１０で示される本考案の好ましい実施の形態に係る改良型調理器具は、かき混ぜたり掬ったりするための複数の本体部分１２と、調理者が把持するための柄部分１４とを備えている（図１及び図２には、「おたま」となる本体部分のみが示されている）。
【０００９】
各本体部分１２には、柄部分１４に結合するための継手部１２ａが設けられている。一方、柄部分１４にも、本体部分１２に結合するための継手部１４ａが設けられている。
【００１０】
図３に最も良く示されるように、継手部１２ａ、１４ａは、スナップ嵌め継手構造体を形成している。すなわち、継手部１２ａは、フック形状を有し、突起１２ａ１が設けられている。継手部１４ａも、継手１２ａに嵌まり込むことができるようなフック形状を有し、継手１２ａに嵌め込んだときに突起１２ａ１に係合するような溝１４ａ１が設けられている。
【００１１】
好ましくは、継手部１２ａのフックの先端１２ａ２が外方に反るように形作られている。本体部分１２と柄部分１４を分離しようとする際には、フックの先端１４ａ３を上方に押し上げて本体部分１２から柄部分１４を引き抜くことによって、容易に分離させることができる。
【００１２】
また、好ましくは、柄部分１４には、使用時に滑らないように、把持する箇所に凹凸１４ｂが設けられている。また、好ましくは、本体部分１２の適所に貫通孔１２ｂ、柄部分１４の適所に貫通孔１４ｃが設けられており、収納時にフック（図示せず）に貫通孔１２ｂ、１４ｃを引っ掛けることによって、本体部分１２、柄部分１４を収納することができるようになっている。
【００１３】
図４（ａ）は、改良型調理器具１０を収納するための収納庫１６の一例を概略的に示した斜視図である。収納庫１６の壁面１８は、表面に凹凸１８ｂが形成された磁石材料で作られており、本体部分１２が納まるような凹部１８ａが設けられている（図４（ｂ）参照）。図４（ａ）では、４つの本体部分１２1 、１２2 、１２3 、１２4 及び柄部分１４が収納されている状態が示されている。
【００１４】
以上のように構成された改良型調理器具１０及び収納庫１６の使用について説明する。まず、収納庫１６から、柄部分１４と所望の本体部分１２を取り出し、本体部分１２に柄部分１４を結合して調理に使用する。調理中に、別の本体部分１２を使う必要が生じたときは、本体部分１２と柄部分１４とを分離して、当該別の本体部分１２に柄部分１４を結合して調理に使用する。分離した本体部分は、収納庫１６に収納する。本体部分１２／柄部分１４を収納庫１６に収納／取出しする際、磁石材料製の壁面１８に凹凸が設けられているため、壁面１８にぴったりくっつくことがなく、作業が容易となる。
【００１５】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１６】
例えば、前記実施の形態で示されているスナップ嵌め継手構造体は、専ら例示的なものであり、他の型式の継手構造体を使用してもよい。
【００１７】
また、前記実施の形態においては、調理器具を例にして説明されているが、図５に示されるように、コップ洗い器具にも本考案を適用することができる。すなわち、図５に示される改良型コップ洗い器具１０′は、コップを洗うためのブラシが設けられた本体部分１２′と、使用者が把持するための柄部分１４′とを備え、本体部分１２′及び柄部分１４′には、互いに結合するための継手部１２ａ′、１４ａ′がそれぞれ設けられており、これらの継手部がスナップ嵌め継手構造体を形成しており、使用時に、本体部分１２′に柄部分１４′を結合し、収納時に、本体部分１２′と柄部分１４′とを分離することができるように構成されている。
【図面の簡単な説明】
【００１８】
【図１】本考案の好ましい実施の形態に係る改良型調理器具を分離状態で示した図である。
【図２】本考案の好ましい実施の形態に係る改良型調理器具を結合状態で示した図である。
【図３】図３（ａ）は分離状態における継手部の拡大斜視図、図３（ｂ）は結合状態における継手部の拡大断面図である。
【図４】図４（ａ）は改良型調理器具を収納するための収納庫の一例を概略的に示した斜視図、図４（ｂ）は図４（ａ）の収納庫の壁面を示した拡大部分断面図である。
【図５】本考案の好ましい実施の形態に係る改良型コップ洗い器具を分離状態で示した図である。
【符号の説明】
【００１９】
１０  改良型調理器具
１２  本体部分
１２ａ  継手部
１４  柄部分
１４ａ  継手部
１６  収納庫
１８  壁面
１０′  改良型コップ洗い器具
１２′  本体部分
１４′  柄部分
【図１】
0003115430.tif 000003
【図２】
0003115430.tif 000004
【図３】
0003115430.tif 000005
【図４】
0003115430.tif 000006
【図５】
0003115430.tif 000007